(57)【要約】      （修正有）【課題】清掃等の保守作業が極めて簡単容易であると共に、模様替えや破損等にも簡単且つ経済的で、筒状成形体内部の管理、清掃等を容易に行うことができ、品質の安定性に優れた壁面直付型照明看板装置を提供する。【解決手段】壁面上に略水平方向に設けた上下１組の看板取付レールと、前記１組の看板取付レールの中間位置に設けた照明用光源と、断面が略長円形で開口部を持つ熱可塑性合成樹脂筒状成形体よりなり、前記筒状成形体が短径方向後側壁中央部分に長さ方向に平行な光源収容用凹陥部２ａを持ち、前記開口部が前記光源収容用凹陥部２ａにあり、前記光源収容用凹陥部２ａを挟んで上部と下部とに前記看板取付レールに対し着脱可能の懸架部材２５ａ、２５ｂを備えている。【選択図】図２
2008287012.tif 000002
【特許請求の範囲】
【請求項１】
壁面上に略水平方向に設けた上下１組の看板取付レールと、前記１組の看板取付レールの中間位置に設けた照明用光源と、断面が略長円形の熱可塑性合成樹脂筒状成形体と、前記筒状成形体短径方向の後側壁中央部分に長さ方向に平行な光源収容用凹陥部を有すると共に、該凹陥部を挟んで上部と下部とに前記看板取付レールに対し着脱可能の懸架部材を備えたライン部看板ユニットとを備え、前記熱可塑性合成樹脂筒状成形体が光透過性で、後側背面体の光源収容用凹陥部が透明性で、背面体の光源収容用凹陥部以外である周囲部分の内面略全面が光反射により照度を向上させる高性能光反射機能膜が施され不透明性であることを特徴とする壁面直付型照明看板装置。
【請求項２】
前記熱可塑性合成樹脂筒状成形体が、前面体成型品と背面体成型品の接着、融着、嵌合、等により接合作製されることを特徴とする請求項１に記載の壁面直付型照明看板装置。
【請求項３】
前記高性能光反射機能膜が、光反射機能物質を含む光反射性塗装膜、光反射性印刷膜などであることを特徴とする請求項１、または請求項２に記載の壁面直付型照明看板装置。
【請求項４】
壁面上に略水平方向に設けた上下１組の看板取付レールと、前記１組の看板取付レールの中間位置に設けた照明用光源と、光透過性合成樹脂の前側前面体と透明性合成樹脂の後側背面体からなる断面が略長円形で開口部を持つ筒状成形体と、前記筒状成形体が短径方向後側壁中央部分に長さ方向に平行な光源収容用凹陥部を持ち、前記開口部が前記光源収容用凹陥部にあり、前記光源収容用凹陥部を挟んで上部と下部とに前記看板取付レールに対し着脱可能の懸架部材を備えたライン部看板ユニットとを備えたことを特徴とする壁面直付型照明看板装置。
【請求項５】
前記光透過性合成樹脂筒状成形体が前側部分の前面体と後側部分の開口部を有する背面体からなり、前記前面体が、光透過性熱可塑性合成樹脂からなり、前記背面体が半透明乃至不透明性熱可塑性合成樹脂からなることを特徴とする請求項４に記載の壁面直付型照明看板装置。
【請求項６】
前記熱可塑性合成樹脂筒状成形体が前側部分の前面体と後側部分の開口部を有する背面体からなり、前記前面体、背面体が光透過性熱可塑性合成樹脂からなり、さらに前記背面体が半透明乃至不透明塗装を施されたことを特徴とする請求項４に記載の壁面直付型照明看板装置。
【請求項７】
前記開口部に、透明性合成樹脂製蓋が設けられていることを特徴とする請求項４〜請求項６のうち、いずれか１項に記載の壁面直付型照明看板装置。
【請求項８】
前記光透過性合成樹脂が、アクリル樹脂、平均分子量２５０００以上のポリカーボネート樹脂、ポリエチレンテレフタレート樹脂、非晶性ポリエステル樹脂であることを特徴とする請求項４〜請求項７のうち、いずれか１項に記載の壁面直付型照明看板装置。
【発明の詳細な説明】
【技術分野】
【０００１】
本発明は壁面直付型照明看板装置に関し、更に詳しくは、建築物又は構築物の壁面などに直付けして看板面材を設け、その裏側から照明することにより、明るい表示を浮かび上がらせるように構成した看板装置に関するものである。
【背景技術】
【０００２】
従来から、建築物又は構築物の壁面に直付けして看板を設けることが行われている。そして看板の中で、表面に模様や文字などを表示した乳白色半透明の平板体を前面に設け、その裏側より照明を当てることにより、観察者の目を引きやすい明るい表示を現出する、所謂内照式の看板も多く用いられている。
【０００３】
また、このような内照式看板には、前面からしか観察できない平坦な形状のものの他に、例えば店の前等に置かれて前後双方から観察できる独立型のスタンド看板や、例えば店の軒先や欄間等に設けられて斜め前方からも観察できる、立体化した形状の壁面直付型看板など、種々の形態のものがある。そして、これらの立体化した看板は、例えば光透過性の乳白色半透明合成樹脂板（乳半板）などを用いて、真空成形やブロー成形などの手段により所望の形状の看板面材を成形し、金属製などの枠体などに嵌め込んで形成されるのが普通であった。
【０００４】
ところが、こうした内照式看板は、内部に照明用光源取り付け用の器具等を設けているために、金属製などの堅固な看板面材取付枠材を使用する必要があり、またこのような光源から発生する熱による空気の膨張収縮があるので、看板を密封構造とすることができない。そのため、空気の呼吸に伴って看板内部に水分が浸入することにより、前記の枠材が腐食して寿命を縮め、或いは、こうして発生した錆や内部に侵入した塵埃や昆虫等のために、看板面材の内面が汚染され、従って、分解して清掃するなどに、余分の維持費用がかかるという問題があった。
【０００５】
また、壁面直付型看板は、取り付け場所の状況に応じてデザインされるのが一般的であり、特に店舗の軒先や欄間等に設けられる大型の壁面直付型看板などでは、取り付け壁面の屈折状況、或いは取り付け位置や寸法などが一旦決定された後は、デザインの変更ができない。従って、店舗の模様替えや増設等の際には、従来の壁面直付型看板を廃棄すると共に、新しい壁面直付型看板を作製して取り付ける必要があり、また使用中に看板の一部が破損した場合、看板面材の全体を交換しなければならないため、回収再利用の不能な廃棄物が発生するばかりでなく、不経済であるという問題もあった。
【０００６】
これらを改良した透光性の熱可塑性樹脂を用いて盤状中空成形体を一体成形し、この一体成形により、該中空成形体の壁面止着側の背面壁に内方に突出する光源配設用凹陥部と壁面側への止着部とを設けて、この凹陥部内に光源を配設するとともに、止着部に壁面への止着手段を設ける看板構造体（例えば、特許文献１を参照）、壁面上に略水平方向に設けた上下１組の看板取付レールと、前記１組の看板取付レールの中間位置に設けた照明用光源と、長手方向を略水平に向けた略偏平形状の光透過性合成樹脂中空直筒体よりなるライン部看板ユニットとを少なくとも備え、前記看板取付レールに懸架結合できる上下１組の懸架部材を、前記ライン部看板ユニットの後側面の上部と下部とに配設した取付座体を介して、前記ライン部看板ユニットの後側面に近接して設けた連合式看板装置（例えば、特許文献２を参照）、また中空体に浸入した微小の虫、粉塵を除くことができない、中空であるが故に光透過性が不十分で照度が上がらず暗い、また照明用光源の蛍光灯に直接さらされる中空直筒体背面体の凹陥部が蛍光灯の紫外線によって黄変劣化し光透過性が低下するなどの問題があった。また、使用される合成樹脂の品質のばらつきにより施工並びに強風等により破損し易いという品質上の問題もあった。
【特許文献１】特開平１１−１３３８９５号公報（特許請求の範囲の欄、発明の詳細な説明の欄における｛発明の実施の形態｝の段落｛００１５｝〜｛００４０｝、及び図１〜図８を参照）
【特許文献２】特開２０００−３２２０１１公報（特許請求の範囲の欄、発明の詳細な説明の欄における｛発明の実施の形態｝の段落｛００１２｝〜｛００２６｝、及び図１〜図１０を参照）
【発明の開示】
【発明が解決しようとする課題】
【０００７】
本発明は、従来の壁面直付型照明看板における上述のような問題点に鑑み、看板面体内部の汚染などが発生する恐れがなく、また清掃等の保守作業が極めて簡単容易であると共に、模様替えや破損等にも簡単且つ経済的に対応することができ、光源の光を効率良く看板照射に利用できると共に、筒状成形体内部の管理、清掃等を容易に行うことができ、照度が良好で、施工並びに強風等への品質の安定性に優れた性能が改良された高機能性がある壁面直付型照明看板装置を提供することを目的としたものである。
【課題を解決するための手段】
【０００８】
上記の目的を達成することができる本発明の第１発明は、請求項１に記載された通りの壁面直付型照明看板装置であり、壁面上に略水平方向に設けた上下１組の看板取付レールと、前記１組の看板取付レールの中間位置に設けた照明用光源と、断面が略長円形の熱可塑性合成樹脂筒状成形体と、短径方向の後側壁中央部分に長さ方向に平行な光源収容用凹陥部を有すると共に、該凹陥部を挟んで上部と下部とに前記看板取付レールに対し着脱可能の懸架部材を備えたライン部看板ユニットとを備え、前記熱可塑性合成樹脂筒状成形体前側前面体が光透過性で、後側背面体の光源収容用凹陥部が透明性で、背面体の光源収容用凹陥部以外である周囲部分の内面略全面が光反射により照度を向上させる高性能光反射機能膜が施され不透明性であることを、少なくとも含んでなる構成である。
【０００９】
さらに本発明の壁面直付型照明看板装置において、前記懸架部材が、前記看板取付レールに対して着脱可能に構成されていると、設置後の看板装置においても、任意の看板ユニットを取り外して交換することができ、従ってまた、任意の位置に設けた照明用光源の交換や修理などを簡単に行うことができる。そのうえ、前記看板取付レールに対する懸架部材が、前記看板取付レールに沿って摺動可能に構成されていると、看板ユニットが損傷したときなどに、損傷した看板ユニットを取り外した後に、隣接した看板ユニットを順次に移動させることができるうえ、交換用の看板ユニットが補充されるまでの間、損傷した看板ユニットを最も目立たない位置に取り付けておくなどして、極めて容易に外観上の被害を最小限に抑えることができる。更にまた、看板の補修を行う際の、古い看板ユニットと新しい看板ユニットとが隣接することによる見栄えの低下も、容易に避けることができる。
【００１０】
上記の目的を達成することができる本発明の第２発明は、請求項２に記載された通りの壁面直付型照明看板装置であり、請求項１に記載の発明に加えて、前記熱可塑性合成樹脂筒状成形体が、前面体成型品と背面体成型品の接着、融着、嵌合、等により接合作製される構成である。
【００１１】
上記の目的を達成することができる本発明の第３発明は、請求項３に記載された通りの壁面直付型照明看板装置であり、請求項１、または請求項２に記載の発明に加えて、前記高性能光反射機能膜が、光反射機能物質を含む光反射性塗装膜、光反射性印刷膜などである構成である。
【００１２】
上記の目的を達成することができる本発明の第４発明は、請求項４に記載された通りの壁面直付型照明看板装置であり、壁面上に略水平方向に設けた上下１組の看板取付レールと、前記１組の看板取付レールの中間位置に設けた照明用光源と、光透過性合成樹脂の前側前面体と透明性合成樹脂の後側背面体からなる断面が略長円形で開口部を持つ筒状成形体と、前記筒状成形体が短径方向後側壁中央部分に長さ方向に平行な光源収容用凹陥部を持ち、前記開口部が前記光源収容用凹陥部にあり、前記光源収容用凹陥部を挟んで上部と下部とに前記看板取付レールに対し着脱可能の懸架部材を備えたライン部看板ユニットとを備える構成である。
【００１３】
上記の目的を達成することができる本発明の第５発明は、請求項５に記載された通りの壁面直付型照明看板装置であり、請求項４に記載の発明に加えて、前記光透過性合成樹脂筒状成形体が前側部分の前面体と後側部分の開口部を有する背面体からなり、前記前面体が、光透過性熱可塑性合成樹脂からなり、前記背面体が半透明乃至不透明性熱可塑性合成樹脂からなる構成である。
【００１４】
上記の目的を達成することができる本発明の第６発明は、請求項６に記載された通りの壁面直付型照明看板装置であり、請求項４に記載の発明に加えて、前記熱可塑性合成樹脂筒状成形体が前記部分の前面体と後側部分の開口部を有する背面体からなり、前記前面体、背面体が光透過性熱可塑性合成樹脂からなり、さらに前記背面体が半透明乃至不透明塗装を施される構成である。
【００１５】
上記の目的を達成することができる本発明の第７発明は、請求項７に記載された通りの壁面直付型照明看板装置であり、請求項４〜請求項６のうち、いずれか１項に記載の発明に加えて、前記開口部に、透明性合成樹脂製蓋が設けられている構成である。
【００１６】
上記の目的を達成することができる本発明の第８発明は、請求項８に記載された通りの壁面直付型照明看板装置であり、請求項４〜請求項７のうち、いずれか１項に記載の発明に加えて、前記光透過性合成樹脂が、アクリル樹脂、平均分子量２５０００以上のポリカーボネート樹脂、ポリエチレンテレフタレート樹脂、非晶性ポリエステル樹脂である構成である。
【発明の効果】
【００１７】
（１）壁面上に設けた看板取付レールに対して、後側から照明される断面が略長円形の光透過性高機能性熱可塑性合成樹脂筒状成形体よりなるライン部看板ユニットを、着脱並びに摺動可能に取り付けてなるもので、看板ユニットと照明用光源とはそれぞれが別体として設けられ、別々に取り外しできるので、清掃や修理、部品交換、或いは部品等の回収再利用も容易であり、保守管理の費用が少ないうえ、廃棄物の量の抑制にも有効であるという効果がある。また、この看板は看板面体が中空体であるので、中空体内で光輝度が低下し看板の照明効率が劣っていたが、背面体の光源収容用凹陥部以外である周囲部分略全面が光反射機能膜を施され不透明性であることにより中空体内で光が効率的に反射され、著しい照度向上が得られた。
（２）前記開口部が筒状成形体の光源収容用凹陥部にあり、開口部に蓋を設ける場合も、開閉自在の透明性ふたであるので、従来の中空体の密閉中空により発生していた気温や気圧の変動に伴う変形がなくなり、又中空体に浸入していた微細な粉塵、虫の除去等内部の管理が容易になり、更に、背面体よりも薄い板をふたに用いることにより開口部のない中空体よりも看板の輝度向上も期待できる効果が得られる。又、筒状成形体に物性が優れ品質が安定している光透明性のアクリル樹脂、分子量２５０００以上の光透明性のポリカーボネート樹脂、等を用いることにより、施工および強風に対する耐力に優れた性能を得ることができる。また、照明用光源の蛍光灯の紫外線によって黄変劣化して蓋の光透過性が低下しても、透明性の良好な新しい蓋に交換することにより、いつまでも優れた輝度を持つ看板を維持できる効果が得られる。
（３）前記合成樹脂筒状成形体の前面体が、光透明性のアクリル樹脂、平均分子量２５０００以上の光透明性のポリカーボネート樹脂、光透明性のポリエチレンテレフタレート樹脂、光透明性の非晶性ポリエステル樹脂等からなると施工、強風に対し安定した性能を得ることができる利点が得られる。
（４）前記筒状成形体の背面体が半透明乃至不透明性熱可塑性樹脂からなると、光漏れがなく効率良く高い照度が得られる。半透明乃至不透明性熱可塑性樹脂が光反射性を有すると、光の吸収が抑えられ、更に高い照度が得られる。
（５）前記筒状成形体の光源収容用凹陥部に開口部があると、光源の光は背面体を介することなく開口部を通して直接看板ユニットの前面体を照射するので光の損失が少なく明るい、密封でないので気温や気圧の変動による変形を防ぐことができ、中空体に浸入した微細な虫、粉塵を除け、中空直筒体内部の清掃もできるなどの利点が得られる。
（６）前記筒状成形体光源収容用凹陥部の開口部に蓋を設ける場合、背面体より薄く、透明性が良好な透明性合成樹脂を用いることにより、光源の光透過効率が高く、高い照度が得られる。
【実施例】
【００１８】
本発明の壁面直付型照明看板装置を、図に基づいて説明する。図１はコンビニエンスストアの前面の欄間位置に設けられる横長の内照看板の例を示したものである。図1において、１は内照看板を設置する壁であり、２はライン部看板ユニット、３はコーナー部看板ユニットである。
【００１９】
図２、図３はライン部看板ユニット２の断面を示したものである。ライン部看板ユニット２はその裏面側の上下部に設けられた懸架部材２５ａ、２５ｂにより、壁面１に取り付けられた上下２本の看板取付レール部材５、６に、着脱可能且つ左右摺動可能に結合されている。
【００２０】
本発明の壁面直付型照明看板装置に用いられるライン部看板ユニット２は、高機能性熱可塑性合成樹脂の筒状成形体からなり、前面体２１と背面体２２とを接着、融着、嵌合、等の接合により得られた、横長の筒状成形体よりなる中空体である。高機能性熱可塑性合成樹脂としては、透明性、光沢性等優れたアクリル樹脂、ポリカーボネート樹脂、ポリエチレンテレフタレート樹脂等が適する。前面体と背面体の組合せは、接着、融着、嵌合等による接合であるので、組合せに制限がなく、品質の要求に従って選択が可能である。
図２はライン部看板ユニット２の断面を示したものである。２１が前面体、２２が背面体、２ａが光源収容用凹陥部、２４ａ、２４ｂが上下の溝型取付座体、２５ａ、２５ｂが看板取付レール部材５、６に対する懸架部材である。図３（Ａ）は看板ユニット後側背面体の外観斜視図である。２ａが光源収容用凹陥部を、２ｂが開口部を示したものである。図３（Ｂ）は、開口部に取り付ける蓋２ｃの外観斜視図である。
【００２１】
本発明の壁面直付型照明看板装置に用いられるライン部看板ユニット２は、光透過性熱可塑性合成樹脂の成形体からなり、横長の筒状成形体である。光透過性熱可塑性合成樹脂としては、透明性、光沢性等の光学的性質、耐風圧強度に優れたアクリル樹脂、平均分子量２５０００以上のポリカーボネート樹脂、ポリエチレンテレフタレート樹脂、非晶性ポリエステル樹脂等が好ましい。平均分子量２５０００に達しないポリカーボネートの場合は、品質の安定性に劣り強風に曝されると強度劣化を起こしたり、看板としての機能を果たすことができなくなる恐れがある。
筒状成形体の後側背面体には、半透明乃至不透明性の熱可塑性合成樹脂が用いられる時、アクリル樹脂、ポリカーボネート樹脂、熱可塑性ポリエステル樹脂、ＡＢＳ樹脂、アクリル変性塩化ビニル樹脂、ポリプロピレン樹脂等の耐熱、物性が優れた合成樹脂が適する。図２に示すように、その断面は略長円形であるが、直線部分を含んで、例えば略長方形状などに類するように構成されていてもよい。そして、前面体２１は厚さ２〜５ｍｍの乳白色半透明板などで成形されたものであることが好ましく。また背面体２２は厚さ２〜５ｍｍの半透明乃至不透明板で成形されたものであることが好ましく、光反射性を持つ半透明乃至不透明板で成形されたものがより好ましい。中央部には長さ方向と平行な光源収容用凹陥部２ａを持ち、この凹陥部２ａは、開口部２ｂを持ち、開口部２ｂは透明性の蓋２ｃで閉じられても良い。蓋２ｃは、板厚が背面体２２より薄く、光透過性が優れた板を使用すると、光透過度が向上し明るい看板ユニットが得られる。ふたは、蝶番により開閉可能にしても、スライド式により開閉可能にしても良い。更に、ビス等で固定し必要に応じ開閉できるようにしても良い。蓋の取り付け、開閉方法は特定しないし、又蓋を用いることなく、開口部を開口したまま使用しても良い。
【００２２】
その断面は略長円形であるが、直線部分を含んで、例えば略長方形状などに類するように構成されていてもよい。そして前面体２１は、厚さ２〜５ｍｍの乳白色半透明板などで成形されたものであることが好ましく、背面体２２は、前記前面体と同様な厚さの透明板などで成形されたものであることが好ましい。また背面体２２の中央部に形成された、中央部に長さ方向と平行な光源収容用凹陥部２ａを持ち、この凹陥部２ａは、開口部２ｂを持ち、開口部２ｂは透明性の蓋２ｃで閉じられても良い。蓋２ｃは、背面体２２より薄い板を使用でき、光透過性が優れた板を使用すると、光透過度が向上し明るい看板ユニットが得られる。蓋２ｃは、蝶番により開閉可能にしても、スライド式により開閉可能にしても良い。更に、ビス等で固定し必要に応じ開閉できるようにしても良い。蓋の取り付け、開閉方法は特定しないし、又蓋を用いることなく、開口部を開口したまま使用しても良い。
【００２３】
背面体２２の中央部に形成された長さ方向と平行な光源収容用凹陥部２ａの部分を除いて、背面体２２の内側面に白色塗料などで光反射膜を設けると、凹陥部２ａから入射した照明用光源からの光が光反射膜で反射し、前面体２２の全面から効率良く出射するようになる。
【００２４】
長さ方向と平行な光源収容用凹陥部２ａを除く背面体の内側面に、高性能光反射機能膜２３が施され、凹陥部２ａから入射した照明用光源からの光が光反射膜２３で反射し、前面体２２の全面から効率よく出射するように構成されている。高性能光反射機能膜２３は、高機能光反射機能物質を含む光反射性塗装膜、光反射性印刷膜などである。高機能光反射物質としては、高機能光反射機能を持つ物質であればいずれも適する。例えば、高機能光反射物質として特殊微小ガラスビーズ等を含む光反射性塗装の例としては、シンロイヒ株式会社から商品名「ビームライト」として販売されている。
【００２５】
前記筒状成形体は、例えば、合成樹脂板からの真空成形、圧空成形等により前面体２１、開口部を有する背面体２２をそれぞれ作製し、次いで、背面体２２の光源収容用凹陥部２ａを除く背面体２２の内側面に、高機能光反射性機能膜２３を施した後、この背面体２２と前面体２１とを接着、融着、嵌合等の接合により作製する。また、２枚の合成樹脂板からツィンコンポジット法、二重シート成形法等のシートブロー成形等で形成し、開口部を作製する方法などがあるが、作製方法は限定されない。
また、前面体２１と背面体２２に同じ種類の合成樹脂を使用しても良いし、互いに異なる種類の合成樹脂を組み合せて使用しても良い。
【００２６】
このようなライン部看板ユニット２は、前述のように前面体２１と背面体２２とを接合した中空体であるが、気温や気圧の変動に伴う変形を防ぐために、背面体２２の上部及び／又は下部の適宜の位置に複数の通気孔を設け、例えば撥水性の多孔質シートなどを用いた通気栓などを、嵌着しておくことが好ましい。
【００２７】
また、ライン部看板ユニット２の背面体２２には、凹陥部２ａを挟んで上部と下部とに、看板取付レール部材５、６に対する懸架部材２５ａ、２５ｂを装着するための、溝型取付座体２４ａ、２４ｂが設けられている。ライン部看板ユニット２の背面体２２にそれぞれ設けられた、このような溝型取付座体２４ａ、２４ｂには、懸架部材２５ａ、２５ｂがそれぞれの端から挿入して取り付けてある。
【００２８】
本発明の内照看板において、ライン部看板ユニット２を懸架する看板取付レールは、上看板取付レール５と下看板取付レール６とから構成されている。かかる看板取付レール５、６は、いずれも、例えば長尺のアルミニウム押出型材などからなるもので、図４〜図６に示すように、看板の取り付け壁面１に水平方向に取り付けてある。これらの上看板取付レール５、及び下看板取付レール６を壁面１に取り付けるに際しては、先ず上看板取付レール５を水平となるよう取り付ける。そして、上看板取付レール５と下看板取付レール６の間隔を所定の長さにするために、所定の長さを有するハンガー部材７の上端部を上看板取付レール５の係合突起５dに係合し、こうして垂直に懸垂した状態のハンガー部材７を壁面１に固定する。更にこうして固定された複数のハンガー部材７の下端部に、下看板取付レール６の係合突起６dを係合させると、下看板取付レール６が自動的に所定の位置に置かれることとなるので、その状態で下看板取付レール６を壁面１に固定する。こうすると、下看板取付レール６も上看板取付レール５と同様に、正しく水平に取り付けることができる。
【００２９】
壁面１に取り付けられるハンガー部材７の中央位置の前面には、例えば、蛍光灯などの照明用光源８を取り付ける光源ホルダ８１を所定の位置で水平に係合固定するためのホルダ受け７１が固着されている。このホルダ受け７１は、先端に係合爪が形成された弾性係合片が突設され、ハンガー部材７へ固定しているものでも、また取り外すことが可能になっているものでも良い。
【００３０】
このようにして、壁面１に、図６に示すように、上看板取付レール５及び下看板取付レール６、ハンガー部材７、ホルダ受け７１、光源ホルダ８１、及び照明用光源８が取り付けられ、上看板取付レール５及び下看板取付レール６に対して、ライン部看板ユニット２が懸架される。
【００３１】
ライン部看板ユニット２に装着された懸架部材２５ａ、２５ｂは、例えば、図４のＡ、Ｂ及び図５のＡ、Ｂに示すような構造を有する、例えば、長尺のアルミニウム押出型材などからなるものである。一方、看板取付レール部材５、６も、例えば、同じく図４のＡ、Ｂ及び図５のＡ、Ｂに示すような構造を有する、例えば、長尺のアルミニウム押出型材などからなるもので、図６に示すように、看板の取り付け壁面１に水平方向に取り付けてある。
【００３２】
このような看板取付レール部材５、６に対して、ライン部看板ユニット２を懸架するには、先ず図４のＢに示すように、懸架部材２５ａの係合板部２５ａ３を斜め下方に傾けた姿勢で、看板取付レール部材５の係合突起部５ｃの下側に挿入し、次いで水平方向の位置、即ち図４のＡの状態にすると、懸架部材２５ａの係合溝２５ａ２及び係合板部２５ａ３が、看板取付レール部材５の支持端５ｂ及び係合突起部５ｃにそれぞれ係合し、同時に懸架部材２５ａの当接面２５ａ１が、看板取付レール部材５の当接面５ａに当接する。
【００３３】
こうして、ライン部看板ユニット２が看板取付レール部材５に対して懸架されると、図５のＡのように、懸架部材２５ｂの第１当接面２５ｂ１及び第２当接面２５ｂ２が、看板取付レール部材６の第１当接面６ａ及び第２当接面６ｂにそれぞれ当接し、それと同時に、懸架部材２５ｂの係止爪２５ｂ３が看板取付レール部材６の係止肩６ｃに係合する。そのため、懸架部材２５ａと看板取付レール部材５との係合状態が保持され、その結果として、ライン部看板ユニット２は確実に看板取付レール部材５，６に懸架されることになる。
【００３４】
このようにして懸架されたライン部看板ユニット２を、看板取付レール部材５、６から取り外すには、先ず図５のＢのように、懸架部材２５ｂの係合外しボタン２５ｂ５を押す。そうすると、スプリング２５ｂ４の付勢力に抗して係止爪２５ｂ３が係止肩６ｃから外れる。そこで懸架部材２５ｂを看板取付レール部材６から離すと、懸架部材２５ａと看板取付レール部材５との係合状態は簡単に解除され、ライン部看板ユニット２は、看板取付レール部材５に対して単に懸架された状態になる。従ってライン部看板ユニット２は、看板取付レール部材５から取り外すことも、また看板取付レール部材５に懸架したまま任意の位置まで移動させることもできるものである。
【００３５】
また、本発明の壁面直付照明看板装置には、更に必要に応じてコーナー部看板ユニット３やエンドカバー４を取り付けることができる。ここで用いられるコーナー部看板ユニット３は、ライン部看板ユニット２と同様に、光透過性の硬質合成樹脂、あるいは熱可塑性合成樹脂で形成された成形体を用いて構成されたものである。かかるコーナー部看板ユニット３の縦断面の表側形状は、ライン部看板ユニット２の表側形状と略一致する前面板を備え、またその両側面が背後方の鉛直線位置で交差するように、後すぼみ状の横断面を有する。あるいは看板取付壁面１のコーナー部１ａの角度に対応した扇状乃至弧状となっているものである。
【００３６】
このようなコーナー部看板ユニット３は、図７に示すように、壁面１のコーナー部１ａに設けるほかに、１個以上のライン部看板ユニット２が設けられた看板の両側端、或いは一方側端に設けて、側端部にもライン部と同様なデザインを表した看板を構成することもできる。そして、壁面のコーナー部１ａにコーナー部看板ユニット３を設けるに当たっては、例えばＬ字型などの固定金具３１を介して固定するか、又は着脱可能に懸架することができる。こうして取り付けられたコーナー部看板ユニット３は、ライン部看板ユニット２が隣接して設けられているので、隣接したライン部看板ユニット２の側端部から漏れ出る照明光が、コーナー部看板ユニット３の側端部から供給されることになるから、コーナー部看板ユニット３には、特に照明用光源を設ける必要がない。
【００３７】
また、ライン部看板ユニット２やコーナー部看板ユニット３を設けてなる看板の、両側端或いは一方側端には、必要に応じて、図８に示すようなエンドカバー４を設けることができる。このようなエンドカバー４は、看板の側端部から漏れ出る照明光を制限する必要があるときに設けるもので、光遮断性能が高ければどのような材料を用いて形成してもよいが、製造の容易さや耐久性等の点からは、アルミニウム板などにより形成することが好ましい。そして壁面１にエンドカバー４を取り付けるに当たっては、例えばＬ字型などの固定金具４１を用いて壁面１に固定することができる。
【００３８】
以上は、照明用光源として蛍光灯の実施形態例について説明したが、他の照明用光源についても同様にして用いることができる。例えば、ＬＥＤ、有機ＬＥＤ、有機ＥＬ、無機ＥＬ、ＥＥＦＬ（Ｅｘｔｅｒｎａｌ  Ｅｌｅｃｔｒｏｄｅ  Ｆｌｕｏｒｅｓｃｅｎｔ  Ｌａｍｐ）等の薄型照明用光源についても同じようにして用いられる。
【図面の簡単な説明】
【００３９】
【図１】本発明の壁面直付型照明看板装置の設置状態の１例を示す外観斜視図である。
【図２】本発明の壁面直付型照明看板装置に用いられるライン部看板ユニットの構造を示す断面図である。
【図３】Ａは、本発明の壁面直付型照明看板装置に用いられるライン部看板ユニットの後側背面体の外観斜視図である。Ｂは、蓋の外観斜視図である。
【図４】本発明の壁面直付型照明看板装置のライン部看板ユニットを看板取付レールに懸架する懸架部材の例の構造を示し、Ａは上部看板取付レール部材と上部懸架部材の懸架状態を、またＢは上部看板取付レール部材に上部懸架部材を懸架した状態を、それぞれ示す断面図である。
【図５】本発明の壁面直付型照明看板装置のライン部看板ユニットを看板取付レールに懸架する懸架部材の例の構造を示し、Ａは下部看板取付レール部材と下部懸架部材の懸架状態を、またＢは下部看板取付レール部材から下部懸架部材を開放した状態を、それぞれ示す断面図である。
【図６】本発明の壁面直付型照明看板装置に用いられる看板取付レール及び照明用光源の構成と設置状態の例を示す外観斜視図である。
【図７】本発明の壁面直付型照明看板装置に用いられるコーナー部看板ユニットの形状と取り付状態を示す外観斜視図である。
【図８】本発明の壁面直付型照明看板装置に用いられるエンドカバー体の形状と取り付状態を示す外観斜視図である。
【符号の説明】
【００４０】
１・・・・壁面                          １ａ・・・・コーナー部
２・・・・ライン部看板ユニット          ２ａ・・・・凹陥部
２ｂ・・・・開口部                        ２ｃ・・・・蓋
２１・・・・前面体                        ２２・・・・背面体
２３・・・・高性能光反射機能膜          ２４ａ・・・・溝型取付座体    
２４ｂ・・・・溝型取付座体                ２５ａ・・・・懸架部材
２５ａ１・・・・当接面                    ２５ａ２・・・・係合溝
２５ａ３・・・・係合板部                    ２５ｂ・・・・懸架部材
２５ｂ１・・・・第１当接面                ２５ｂ２・・・・第２当接面
２５ｂ３・・・・係止爪                    ２５ｂ４・・・・スプリング
２５ｂ５・・・・係合外しボタン                  ３・・・・コーナー部看板ユニット
３１・・・・固定金具                        ４・・・・エンドカバー体
４１・・・・固定金具                        ５・・・・看板取付レール部材
５ａ・・・・当接面                        ５ｂ・・・・支持端
５ｃ・・・・係合突起部                    ５ｄ・・・・係合突起
６・・・・看板取付レール部材            ６ａ・・・・第１当接面
６ｂ・・・・第２当接面                    ６ｃ・・・・係止肩
６ｄ・・・・係合突起                        ７・・・・ハンガー部材
７１・・・・ホルダ受け                      ８・・・・照明用光源  
８１・・・・光源ホルダ
【図１】
2008287012.tif 000003
【図２】
2008287012.tif 000004
【図３】
2008287012.tif 000005
【図４】
2008287012.tif 000006
【図５】
2008287012.tif 000007
【図６】
2008287012.tif 000008
【図７】
2008287012.tif 000009
【図８】
2008287012.tif 000010